(57)【要約】【課題】工場などから常時排出される各種の洗浄液その他の廃液は、特殊なフィルタ材を用い、フィルタ操作一回毎に使用済みフィルタ材を取外して新たに装着していた。本発明は、新聞用紙、コピー用紙などの廉価な紙材でも粒径０．５〜１μｍ以上の粒子を濾別でき、これらの紙材は湿潤状態では引張力が弱いが、乾燥状態では十分な引張力があることを利用して使用済み濾材の取外し交換作業を不要にすると共に維持管理が容易な装置を提供する。【手段】供給ロール１と間歇駆動される巻取りロール３との間に下部固定盤５と昇降盤６で構成されるロール紙面挟圧フィルタ装置４を設け、下部固定盤５は濾液室８が凹設されると共に該濾液室を囲む内面平坦部の内周段部に目皿が支承されて真空吸引装置１５に接続する濾液タンクに接続され、昇降盤６は廃液タンク２１と乾燥気体源２３に切換え接続可能に接続されている。【選択図】  図１
2006021114.tif 000002
【特許請求の範囲】
【請求項１】
ロール紙供給ロールと間歇駆動される巻取りロールとの間にロール紙面を挟圧するフィルタ装置が設けられ、該フィルタ装置の下部固定盤は濾液室を囲む内面平坦部の内周段部に支承される目皿を備えて真空源に接続する濾液タンクに接続され、前記フィルタ装置に昇降盤は廃液タンクと乾燥気体源に切換え接続可能に接続されてなる連続巻取りフィルタ装置。
【請求項２】
ロール紙供給ロールと間歇駆動される巻取りロールとの間にロール紙面を挟圧するフィルタ装置が設けられ、該フィルタ装置の下部固定盤は濾液室を囲む内面平坦部の内周段部に支承される目皿を備えて濾液タンクに接続され、前記フィルタ装置に昇降盤は押込みポンプを介して廃液タンクと乾燥加圧気体源に切換え可能に接続されてなる連続巻取りフィルタ装置。
【請求項３】
下部固定盤の供給側及び巻取り側に前記固定盤の平坦面より上方に位置して剥取り補助ローラが設けられてなる請求項１又は２記載の連続巻取りフィルタ装置。
【発明の詳細な説明】
【技術分野】
【０００１】
この発明は、、インク洗浄液、切削液、空調用廃液など水性又は油性の各種洗浄液或いは粉塵回収液中の固形分を連続して分離除去するフィルタ装置に関する。
【背景技術】
【０００２】
工場などで常時排出される各種の洗浄液は、フィルタ装置によって固液を分離して廃棄又は回収されている。しかし、従来のフィルタ装置は、特殊なフィルタ材を用いる他、フィルタ操作一回毎に使用済みフィルタ材を取外して新たに装着するための交換時間と労力を要する上、比較的広い作業場所を必要とするのでコストが掛かり不経済であった。
【発明の開示】
【発明が解決しようとする課題】
【０００３】
本発明は、新聞用紙、コピー用紙などの廉価な紙材でも粒径０．５〜１μｍ以上の粒子を濾別できること及びこれらの紙材は湿潤状態では引張力が弱いが、乾燥状態では十分な引張力があることを利用するものであって、使用済みフィルタ材の取外し交換作業を不要にして従来装置の欠点を一挙に消除できる装置を提供するものである。
【課題を解決するための手段】
【０００４】
本発明は、新聞用紙、普通紙などのロール紙をろ材として用いる。
本発明連続巻取りフィルタ装置は、供給ロールと間歇駆動される巻取りロールとの間に下部固定盤と昇降盤で構成されるロール紙面挟圧フィルタ装置が設けられ、下部固定盤は濾液室が凹設されると共に該濾液室を囲む内面平坦部の内周段部に目皿が支承されて真空源に接続する濾液タンクに接続され、昇降盤は廃液タンクと乾燥気体源に切換え接続可能に接続されている。
【０００５】
上記吸引方式に換えて、フィルタ装置の昇降盤が押込みポンプを介して廃液タンクと乾燥加圧気体源に切換え可能に接続されて構成される加圧方式による装置も可能である。
上記いずれの方式でも、フィルタ装置の固定盤と昇降盤の外周平坦面間に挟圧されるロール紙の剥離を容易にするため、下部固定盤の供給側及び巻取り側に固定盤の平坦面より上方に位置してガイドローラを兼ねる剥取り補助ローラを設けるのが有効である。
なお、フィルタ装置に供給するロール紙は、１枚に限られることなく複数枚積層して供給できる。
【発明の効果】
【０００６】
通常、ロール紙は、数十回〜数百回のフィルタ操作によって消費されるものであるから１操作当たりの廃液濾過時間と乾燥時間を設定しておけば連続運転が可能になる。
また、装置の動作は、フィルタ装置昇降盤の昇降と巻取りロールの間歇駆動だけであって
自動運転も可能であるから維持管理が容易になる。
【発明を実施するための最良の形態】
【０００７】
図中、１は新聞用紙などのロール紙（ロール径５００ｍｍ）であり、１枚以上の供給が可能であって同質又は異質のロール紙を積層して使用できる。
２Ａ，２Ｂはガイドローラを兼ねる剥離補助ローラ、３は間歇駆動される巻取りロール、４は挟圧フィルタ装置であって下部固定盤５と昇降シリンダ７に連結する昇降盤６によって構成されている。ローラ２Ａ，２Ｂは固定盤５の内面より上方に位置して設置されている。
下部固定盤５は、内面に方形の濾液室８が凹設されると共に濾液室を囲む外周部１１の内周壁に目皿係止段部９が形成されている。目皿１０はステンレスなどの金属製多孔板である。
１２は、平坦面１１に埋設された環状のパッキン、１３は濾液排出口、１４は濾液タンクである。１５は真空装置であって昇降盤６の開放時に停止する。
昇降盤６の内面には外周平坦部１７を残して給液室１６が凹設されると共に導入口１８が穿設されて配管１９が接続されている。
【０００８】
２０は制御弁、２１は廃液タンク、２２は乾燥気体制御弁であって制御弁２０とはインターロック接続されて切換え動作する。２３は乾燥気体源である。
図６において、３１は廃液タンク２１に接続する押出しポンプ、３２は流量調節弁である。
３３は気体流量調節弁、３４は乾燥加圧空気源である。
【０００９】
（作用）
ロール紙が挟圧フィルタ装置内にセットされた後、昇降盤６が下降して紙面の周辺を挟圧する。制御弁２０が開くと同時に吸引装置１５が作動して濾液タンク１４が減圧される。
廃液は、目皿１０に支持された紙面Ｐを通過し、濾液室８を経て濾液タンク１４に溜まる。
所定時間（紙面の濾過能力が低下する時間）後、制御弁２０を閉止すると共に乾燥制御弁２２が開かれて紙面上に残る固形分と湿潤されている紙面を同時に乾燥する。
乾燥空気は、濾液室８を空気洗浄しつつ大気に放散される。フィルタ装置の内周面平坦部１１，１７間に挟圧された紙面は殆ど乾燥状態であって、その後、昇降盤が上昇しても破ける恐れはない他、この上昇によって紙面の挟圧が解除されるとガイドローラ兼剥離補助ローラの作用によって紙面が固定盤内面から浮き上がり常態となって巻取り可能な状態になる。巻取りロールは、フィルタ装置の長さ以上のロール紙を巻き取る。
図６の加圧方式の場合は、真空吸引装置に換えて廃液押出しポンプと流量調節弁が設けられ、更に乾燥空気に換えて加圧乾燥空気が用いられる他は作用は同様である。
【図面の簡単な説明】
【００１０】
【図１】吸引型ろ過装置の全体概要構成図
【図２】フィルタ材挟持装置の解放時の腰部断面図
【図３】同の加圧時断面図
【図４】挟持装置の内面展開図であって（Ａ）は固定下部盤の内面図、（Ｂ）は昇降盤の内面図
【図５】多孔目皿の平面図
【図６】加圧型ろ過装置の概要構成図
【符号の説明】
【００１１】
１  ロール紙
２  ガイド兼剥離補助ローラ
３  巻取りロール
４  挟圧フィルタ装置
５  固定盤
６  昇降盤
８  濾液室
９  段部
１０  目皿
１１  外周部
１２  パッキン
１３  排出口
１４  濾液タンク
１５  真空装置
１６  給液室
１７  外周部
１８  導入口
２０、２２  制御弁
２３  乾燥気体源
３１  押出しポンプ
３２、３３流量調節弁
３４  加圧乾燥気体源
【図１】
2006021114.tif 000003
【図２】
2006021114.tif 000004
【図３】
2006021114.tif 000005
【図４】
2006021114.tif 000006
【図５】
2006021114.tif 000007
【図６】
2006021114.tif 000008
【手続補正書】
【提出日】平成17年1月14日(2005.1.14)
【手続補正１】
【補正対象書類名】図面
【補正対象項目名】図６
【補正方法】変更
【補正の内容】
【図６】
2006021114.tif 000009
【手続補正書】
【提出日】平成17年5月13日(2005.5.13)
【手続補正１】
【補正対象書類名】特許請求の範囲
【補正対象項目名】全文
【補正方法】変更
【補正の内容】
【特許請求の範囲】
【請求項１】
下部固定盤と昇降盤を有するフィルタ装置がロール紙供給ロールと間歇駆動される巻取りロールとの間に該ロール紙面を挟圧するように設けられ、前記下部固定盤は内面平坦部によって囲まれると共に目皿を備えた濾液室が真空源に接続した濾液タンクに接続され、前記昇降盤は内面平坦部によって囲まれた給液室が廃液タンクと乾燥気体源に切換え接続可能に接続されてなる連続巻取りフィルタ装置。
【請求項２】
下部固定盤と昇降盤を有するフィルタ装置がロール紙供給ロールと間歇駆動される巻取りロールとの間に該ロール紙面を挟圧するように設けられ、前記下部固定盤は内面平坦部によって囲まれると共に目皿を備えた濾液室が濾液タンクに接続され、前記昇降盤は内面平坦部によって囲まれた給液室が押込みポンプを備えた廃液タンクと乾燥加圧気体源に切換え接続可能に接続されてなる連続巻取りフィルタ装置。
【請求項３】
下部固定盤の供給側及び巻取り側に前記固定盤の平坦面より上方に位置してロール紙剥取り補助ローラが設けられてなる請求項１又は２記載の連続巻取りフィルタ装置。
【請求項４】
ロール紙供給ロールが複数並設され、フィルタ装置に複数枚のロール紙が供給される請求項１乃至３記載のいずれかの連続巻取りフィルタ装置。
【手続補正２】
【補正対象書類名】明細書
【補正対象項目名】全文
【補正方法】変更
【補正の内容】
【発明の詳細な説明】
【技術分野】
【０００１】
この発明は、インク洗浄液、切削液、空調用廃液など水性又は油性の各種洗浄液或いは粉塵回収液中の固形分を分離除去して溶剤を回収するフィルタ装置に関する。
【背景技術】
【０００２】
塗装工場や印刷工場などから多量に排出される洗浄廃液を固形分離して溶剤を回収する装置には、電気泳動を利用する静電方式、スチーム加熱による真空蒸留方式などの他、特殊フィルタ材を使用する加圧濾過装置が提供されている。
前記静電式や蒸留式装置は、高純度の回収溶剤を多量に回収できるが、装置が高価である上、エネルギー消費が大きくて不経済である。
また、加圧濾過装置は、装置構成が簡単で装置を小型化できるが、現在使用されている装置（例えば東京都千代田区内神田、株式会社トーヨーコーポレーション製、「ＡＤ・フィルター」（非特許文献１））は、高価な特殊フィルタ材を頻繁に交換する必要があり、労力を要し作業効率が低い上、使用済みフィルタ材を運搬して処理しなければならない欠点がある。
【０００３】
【非特許文献１】製品「SAD-2001」 [平成１７年１月２８日検索]、インターネット<URL:http://www.toyoc.co.jp>
【発明の開示】
【発明が解決しようとする課題】
【０００４】
本発明は、新聞用紙、コピー用紙などの廉価な紙材でも粒径０．５〜１μｍ以上の粒子を濾別できること及びこれらの紙材は湿潤状態では引張力が弱いが、乾燥状態では十分な引張力がある性質を利用するものであって、使用済みフィルタ材の取外し交換作業を不要にして従来装置の欠点を一挙に消除できる経済的な装置を提供するものである。
【課題を解決するための手段】
【０００５】
本発明装置は、新聞用紙、普通紙などのロール紙を濾材として使用し、吸引式フィルタ装置と加圧式フィルタ装置のいずれかで構成される。
吸引式連続巻取りフィルタ装置は、供給ロールと間歇駆動される巻取りロールとの間に下部固定盤と昇降盤で構成されるロール紙面挟圧フィルタ装置が設けられ、下部固定盤は濾液室が凹設されると共に該濾液室を囲む内面平坦部の内周段部に目皿が支承されて構成され、濾液室が真空源に接続する濾液タンクに接続され、昇降盤は前記固定板と同様に凹設された給液室が廃液タンクと乾燥気体源に切換え接続可能に接続されて構成され、供給ロールは１機又は複数機併設される。
【０００６】
加圧式装置は、フィルタ装置を構成する昇降盤の給液室に押込みポンプを備えた廃液タンクが接続されると共に乾燥加圧気体源が切換え可能に接続されて構成される。
上記いずれの方式でも、ロール紙はフィルタ装置の固定盤と昇降盤外周に形成された内面平坦部面間に挟圧される。    フィルタ作業を終了したロール紙の内面平坦部からの剥離を容易にするため、下部固定盤の供給側及び巻取り側に固定盤の平坦面より上方に位置してガイドローラを兼ねる剥取り補助ローラを設けるのが有効である。
なお、フィルタ装置に供給するロール紙は、１枚に限られることなく複数枚積層して供給できる。
【発明の効果】
【０００７】
本発明装置に適用されるロール紙は、通常数十回〜数百回のフィルタ操作によって消費されるものであるから１操作当たりの廃液濾過時間と乾燥時間を考慮してフィルタ装置昇降盤の昇降動作と巻取りロールの間歇駆動の時間を設定しておけば連続自動運転が可能になり、維持管理が容易になる。
【発明を実施するための最良の形態】
【０００８】
図１は、吸引式装置の例であって、１は新聞用紙などのロール紙（ロール径５００ｍｍ）である。ロール紙は、１枚以上の供給が可能であって同質又は異質のロール紙を積層して使用できる。
２Ａ，２Ｂはガイドローラを兼ねる剥離補助ローラ、３は間歇駆動される巻取りロール、４は挟圧フィルタ装置であって下部固定盤５と昇降シリンダ７に連結する昇降盤６によって構成されている。ローラ２Ａ，２Ｂは固定盤５の内面より上方に位置して設置されている。
下部固定盤５は、内面に方形の濾液室８が凹設されると共に濾液室を囲む外周部１１の内周壁に目皿１０を係止する段部９が形成され、外周部１１は、固定板内面に平坦部として形成される。
目皿１０はステンレスなどの金属製多孔板である。
１２は、外周部即ち、平坦部１１に埋設された環状のパッキン、１３は濾液排出口、１４は濾液タンクである。１５は真空装置であって昇降盤６の開放時には停止する。
昇降盤６の内面には、固定盤の平坦部１１に対向する外周平坦部１７を残して給液室１６が凹設されると共に導入口１８が穿設されて配管１９が接続されている。
２０は制御弁、２１は廃液タンク、２２は乾燥気体制御弁であって制御弁２０とはインターロック接続されて切換え動作する。２３は乾燥気体源である。
【０００９】
図６は、加圧式装置の例であって同図において、３１は、廃液タンク２１に接続する押出しポンプ、３２は流量調節弁、３３は気体流量調節弁、３４は乾燥加圧空気源である。
【００１０】
（作用）
図１において、ロール紙がフィルタ装置内に挟圧セットされた後、昇降盤６が下降して紙面の周辺を平坦部１１，１７間に挟圧する。乾燥制御弁２２が閉状態で制御弁２０が開くと同時に吸引装置１５が作動して濾液タンク１４が減圧される。
廃液は、目皿１０に支持された紙面Ｐを通過し、濾液室８を経て濾液タンク１４に溜まる。
所定時間（紙面の濾過能力が低下する時間）後、制御弁２０を閉止すると共に乾燥制御弁２２が開かれて紙面上に残る固形分と湿潤されている紙面を同時に乾燥する。
乾燥空気は、濾液室８を空気洗浄しつつ濾液タンク１４を通って大気に放散される。フィルタ装置の内面平坦部１１，１７間に挟圧された紙面は殆ど乾燥状態であって、その後、昇降盤が上昇しても破ける恐れはない他、この上昇によって紙面の挟圧が解除されるとガイドローラ兼剥離補助ローラの作用によって紙面が固定盤内面から浮き上がり状態となって巻取り可能な状態になる。巻取りロールは、フィルタ装置の長さ以上のロール紙を巻き取る。
図６の加圧方式の場合は、真空吸引装置に換えて廃液押出しポンプと流量調節弁が設けられ、更に乾燥空気に換えて加圧乾燥空気が用いられる他は作用は同様である。
【図面の簡単な説明】
【００１１】
【図１】吸引式濾過装置の全体概要構成図
【図２】フィルタ材挟持装置の解放時の腰部断面図
【図３】同の加圧時断面図
【図４】挟持装置の内面展開図であって（Ａ）は固定下部盤の内面図、（Ｂ）は昇降盤の内面図
【図５】多孔目皿の平面図
【図６】加圧式濾過装置の概要構成図
【符号の説明】
【００１２】
１  ロール紙供給ロール
２Ａ，２Ｂ  ガイド兼剥離補助ローラ
３  巻取りロール
４  フィルタ装置
５  固定盤
６  昇降盤
８  濾液室
９  段部
１０  目皿
１１  平坦部
１２  パッキン
１３  排出口
１４  濾液タンク
１５  真空装置
１６  給液室
１７  平坦部
１８  導入口
２０、２２  制御弁
２３  乾燥気体源
３１  押出しポンプ
３２、３３流量調節弁
３４  加圧乾燥気体源
【手続補正３】
【補正対象書類名】図面
【補正対象項目名】図１
【補正方法】変更
【補正の内容】
【図１】
2006021114.tif 000010
【手続補正４】
【補正対象書類名】図面
【補正対象項目名】図６
【補正方法】変更
【補正の内容】
【図６】
2006021114.tif 000011